(57)【特許請求の範囲】
【請求項１】
医療デバイスであって：
−デバイスを操作するために備え付けられる機構（３）で、その機構は第一の可動エレメント（１）及び第二の可動エレメント（２）を含み；
−機構の操作中、第一のエレメントの表面（１１）が第二のエレメントの表面（１２）上を摺動するように配置される第一の可動エレメント（１）及び第二の可動エレメント（２）；及び
相互に相対速度２ｍｍ／秒で０.１４より小さい上記表面の滑り摩擦係数を与える材料
から形成される第一のエレメント及び第二のエレメント；
ここで、第一のエレメント及び第二のエレメントの内、少なくとも１つの材料が液晶ポリマーである；
を含む、上記医療デバイス。
【請求項２】
第一のエレメント（１）及び第二のエレメント（２）が、相互に相対速度２ｍｍ／秒で０.１０より小さい前記表面の滑り摩擦係数を与える材料から形成される、請求項１に記載の医療デバイス。
【請求項３】
第一のエレメント（１）及び第二のエレメント（２）が、相互に相対速度２ｍｍ／秒で０.０８より小さい前記表面の滑り摩擦係数を与える材料から形成される、請求項１に記載の医療デバイス。
【請求項４】
第一のエレメント（１）が駆動スリーブ（６）であり、そして第二のエレメント（２）がナット（５）である、請求項１〜３のいずれか１項に記載の医療デバイス。
【請求項５】
第一のエレメント（１）が駆動スリーブ（４）であり、そして第二のエレメント（２）がピストンロッド（７）である、請求項１〜３のいずれか１項に記載の医療デバイス。
【請求項６】
第一のエレメント（１）がナット（８）であり、そして第二のエレメント（２）がピス
トンロッド（７）である、請求項１〜３のいずれか１項に記載の医療デバイス。
【請求項７】
第一のエレメント（１）が操作ボタン（９）であり、そして第二のエレメント（２）がワッシャ（１０）である、請求項１〜３のいずれか１項に記載の医療デバイス。
【請求項８】
第一のエレメントの材料がポリオキシメチレンであり、そして第二のエレメントの材料が液晶ポリマーである、請求項１〜７のいずれか１項に記載の医療デバイス。
【請求項９】
第一のエレメントがピストンロッドナットで第一のエレメントの材料がポリオキシメチレンであり、そして第二のエレメントがピストンロッドで第二のエレメントの材料が液晶ポリマーである、請求項８に記載の医療デバイス。
【請求項１０】
第一のエレメントが駆動スリーブで第一のエレメントの材料がポリオキシメチレンであり、そして第二のエレメントがピストンロッドで第二のエレメントの材料が液晶ポリマーである、請求項８に記載の医療デバイス。
【請求項１１】
デバイスが、ペン型の、薬物送達デバイス又は注射デバイスである、請求項１〜１０のいずれか１項に記載の医療デバイス。
【請求項１２】
薬物又は薬液を供するための貯蔵器（１５）を含む、請求項１〜１１のいずれか１項に記載の医療デバイス。
【請求項１３】
薬物又は薬液が、少なくとも１つの薬学的に活性な化合物を含む薬剤であって、該薬学的に活性な化合物は少なくとも１つのヒトインスリン、又はヒトインスリン類似体若しくは誘導体、グルカゴン様ペプチド（ＧＬＰ−１）又はその類似体若しくは誘導体、又はエキセジン−３若しくはエキセジン−４又はエキセジン−３若しくはエキセジン−４の類似体若しくは誘導体を含む、請求項１２に記載の医療デバイス。
【請求項１４】
液晶ポリマーを、相対速度２ｍｍ／秒で０.１４より小さい滑り摩擦係数を与える同じ材料、又は更なる材料と併用して使用する、請求項１〜１３のいずれか１項に記載の医療デバイス。
【発明の詳細な説明】
【技術分野】
【０００１】
本発明は医療デバイス、特に、薬物送達デバイス又は注射デバイスの機構における低摩擦の合成又はプラスチック材料の使用に関する。
【背景技術】
【０００２】
医療デバイスにおける機構の適用は、大量に製造することができる特殊な形状の機械的部品又はエレメントに対するますます増大する需要を伴っている。合成又はプラスチック材料は、この目的のために理想的にふさわしい。 患者により使用され、そして、どこでも利用可能でなければならない携帯型医療デバイスは、縮小された寸法の機構を備えている。機構は信頼性があり、そして十分に滑らかに作動する可動なエレメントであることは重要である。容易な使用の理由のため、潤滑油の注入は避けるべきである。
【０００３】
携帯型薬物送達デバイスは、一般的に、患者による自己投与に適切な医薬用流体又は薬物を投与するために知られている。薬物送達デバイスは、容易に取り扱うことができ、そしてどこでも利用可能に維持することができる、ペン型形状が特に有用である。洗練された型の薬物送達デバイスは、多数回再充填可能で、再使用可能であるように構築されている。薬物の用量は、このように注射すべき流体の量を設定することを可能にする、駆動機構によって送達される。
【０００４】
特許文献１は、複数の異なった規定用量を送達することを可能にする、駆動機構を有する注射ペンキャップの形状の薬物送達デバイスを記載している。
【先行技術文献】
【特許文献】
【０００５】
【特許文献１】ＥＰ第１９２３０８３号Ａ１
【発明の概要】
【発明が解決しようとする課題】
【０００６】
本発明の目的は、可動なエレメントを備えた医療デバイスの改良された機構を提供する手段を開示することである。
【課題を解決するための手段】
【０００７】
本目的は請求項１に係る低摩擦合成材料を使用した医療デバイスにより達成される。本発明の更なる態様及び変更は従属クレームから派生する。
【０００８】
医療デバイスは、デバイスを操作するために備え付けられる可動なエレメントを備えた機構を含む。第一の可動のエレメント及び第二の可動のエレメントは、機構の操作中、第一のエレメントが第二のエレメント上を摺動するように配置される。第一のエレメント及び第二のエレメントは、相互に相対速度２ｍｍ／秒で０．１４より低い該表面上での滑り摩擦係数を与える材料から形成される。
【０００９】
互いに接触し、移動する２つの本体の粗面状の表面間の摩擦は、表面が互いに摺動するように、表面内に向けられる遅延効果の力ＦRを発生させ、かくして、相対移動の速度を低下させる。本体のある特定の相対速度において、摩擦力ＦRの絶対値は、一般的に、本体が互いに押される、表面に垂直な力ＦNの絶対値に比例関係にあるとみなすことができる。摩擦力ＦRの絶対値と垂直力ＦNの絶対値の割合は、等式ＦR＝μ（Ｖr）×ＦNが本体
のいかなる特定の相対速度Ｖrに対しても成り立つ（supposed for）ように、滑り摩擦係数μと呼ばれる。
【００１０】
医療デバイスの実施態様において、第一のエレメント及び第二のエレメントの摺動表面の滑り摩擦係数は、２ｍｍ／秒の相対速度において、０．１０より小さい。
【００１１】
更なる医療デバイスの実施態様において、第一のエレメント及び第二のエレメントの摺動表面の滑り摩擦係数は、２ｍｍ／秒の相対速度において、０．０８より小さい。
【００１２】
医療デバイスの更なる実施態様において、第一のエレメント及び第二のエレメントの少なくとも１つの材料はポリブチレンテレフタレートである。
【００１３】
医療デバイスの更なる実施態様において、第一のエレメント及び第二のエレメントの少なくとも１つの材料はポリオキシメチレンである。
【００１４】
医療デバイスの更なる実施態様において、第一のエレメント及び第二のエレメントの少なくとも１つの材料は液晶ポリマーである。
【００１５】
医療デバイスの更なる実施態様において、第一のエレメントは駆動スリーブであり、第二のエレメントはナットである。
【００１６】
医療デバイスの更なる実施態様において、第一のエレメントは駆動スリーブであり、第二のエレメントはピストンロッドである。
【００１７】
医療デバイスの更なる実施態様において、第一のエレメントはナットであり、第二のエレメントはピストンロッドである。
【００１８】
医療デバイスの更なる実施態様において、第一のエレメントは操作ボタンであり、第二のエレメントはワッシャである。
【００１９】
医療デバイスは、特に、薬物送達デバイス、又は、注射デバイス、とりわけ、ペン形状を有する携帯型注射デバイスであってよい。そのような注射デバイス又は注射ペンは、扱いやすく、そしてどこでも利用可能であるように設計されているので、注射デバイスの操作に対して供された機構は、制限された寸法内に配置されなければならない。従って、低摩擦材料の、小さな摺動エレメントを備えた機構を装備することは好都合である。
【００２０】
本発明は、更に、医療デバイスの機構内での少なくとも１つの低摩擦合成材料の使用を開示する。低摩擦合成材料は、相対速度２ｍｍ／秒での滑り摩擦係数が０．１４より小さい同じ材料、又は、更なる材料と併用して使用される。
【００２１】
低摩擦合成材料は、とりわけ、ポリブチレンテレフタレート、ポリオキシメチレン、又は液晶ポリマーであってよい。
【００２２】
それらの表面特性のせいで、低摩擦合成材料は、同じ物、又は適切に選択された更なる材料の表面との摺動接触において、滑らかに作動する表面を有する機械的エレメントの製造に適切であり、そして、所望の低摩擦を提供する。
【発明を実施するための形態】
【００２３】
本発明の更なる態様及び実施例は、添付図面と併せて説明する。
【図面の簡単な説明】
【００２４】
【図１】機構を有する注射ペンの断面を示す。
【図２】機構の摺動エレメントの断面を示す。
【００２５】
図１は、ハウジング又は本体１４内に機構を備えたペン形状の注射デバイスの断面を示す。近位端は操作ボタン９を備え、そして遠位端は、針１６を通して注射されるべき薬物又は薬学的流体のために提供される貯蔵器１５を備えている。薬物の送達は、ピストンロッド７によりデバイスの縦延長方向に移動されるピストン１７によりもたらされ、それ故、投与すべき用量によって貯蔵器１５の容積を減らす。貯蔵器１５は、薬物を含むカートリッジの挿入のために供することができる。この場合、ピストン１７はカートリッジ内を移動し、そして、ピストンロッド７はカートリッジの底にある孔を通して移動する。
【００２６】
本明細書で使用する用語「薬剤又は薬液」は、少なくとも１つの薬学的に活性な化合物を含む医薬製剤を意味し、
ここで一実施態様において、薬学的に活性な化合物は、最大で１５００Ｄａまでの分子量を有し、及び／又はペプチド、蛋白質、多糖類、ワクチン、ＤＮＡ、ＲＮＡ、抗体、酵素、抗体、ホルモン若しくはオリゴヌクレオチド、又は上述の薬学的に活性な化合物の混合物であり、
ここで、更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、がん、黄斑変性症、炎症、枯草熱、アテローム性動脈硬化症、及び／又は関節リウマチの処置、及び／又は予防に有用であり、
ここで、更なる実施態様において、薬学的に活性な化合物は、糖尿病、又は糖尿病性網膜症などの糖尿病に関連する合併症の処置、及び／又は予防のための、少なくとも１つのペプチドを含み、
ここで、更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセジン−３又はエキセジン−４、若しくはエキセジン−３又はエキセジン−４の類似体若しくは誘導体を含む。
【００２７】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；位置Ｂ２８におけるプロリンが、Ａｓｐ、Ｌｙｓ、Ｌｅｕ、Ｖａｌ又はＡｌａで置き換えられ、そして位置Ｂ２９において、Ｌｙｓが、Ｐｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００２８】
インスリン誘導体は、例えばＢ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００２９】
エキセンジン−４は、例えばエキセンジン−４（１−３９）、配列Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2のペプチドを意味する。
【００３０】
エキセンジン−４誘導体は、例えば以下のリストの化合物：
Ｈ−（Ｌｙｓ）４−ｄｅｓＰｒｏ３６，ｄｅｓＰｒｏ３７エキセンジン−４（１−３９）−ＮＨ2、
Ｈ−（Ｌｙｓ）５−ｄｅｓＰｒｏ３６，ｄｅｓＰｒｏ３７エキセンジン−４（１−３９）−ＮＨ2、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
ここで、基−Ｌｙｓ６−ＮＨ2は、エキセンジン−４誘導体のＣ−末端と結合してもよく；
【００３１】
又は以下の配列のエキセンジン−４誘導体；
Ｈ−（Ｌｙｓ）６−ｄｅｓＰｒｏ３６［Ａｓｐ２８］エキセンジン−４（１−３９）−Ｌｙｓ６−ＮＨ2、
ｄｅｓＡｓｐ２８，Ｐｒｏ３６，Ｐｒｏ３７，Ｐｒｏ３８エキセンジン−４（１−３９）−ＮＨ2、
Ｈ−（Ｌｙｓ）６−ｄｅｓＰｒｏ３６，Ｐｒｏ３８［Ａｓｐ２８］エキセンジン−４（１−３９）−ＮＨ2、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2、
ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2、
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2、
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2、
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のエキセンジン−４誘導体のいずれか１つの薬学的に許容される塩若しくは溶媒和物；
から選択される。
【００３２】
ホルモンは、例えば、ゴナドトロピン（ホリトロピン、ルトロピン、コリオンゴナドトロピン、メノトロピン）、ソマトロピン（ソマトロピン）、デスモプレッシン、テルリプレッシン、ゴナドレリン、トリプトレリン、ロイプロレリン、ブセレリン、ナファレリン、ゴセレリンなどの、Rote Liste、２００８年版、５０章に表示されているような脳下垂体ホルモン又は視床下部ホルモン又は調節活性ペプチド及びそれらのアンタゴニストである。
【００３３】
多糖類としては、例えば、ヒアルロン酸、ヘパリン、低分子量ヘパリン、又は超低分子量ヘパリン、若しくはそれらの誘導体などのグルコアミノグリカン、又は上述の多糖類の硫酸化された、例えば、多硫酸化形態、及び／又は、薬学的に許容可能なそれらの塩がある。ポリ硫酸化低分子量ヘパリンの薬学的に許容される塩の例としては、エノキサパリンナトリウムがある。
【００３４】
薬学的に許容される塩は、例えば、酸付加塩及び塩基塩がある。酸付加塩としては、例えば、ＨＣｌ又はＨＢｒ塩がある。塩基塩は、例えばアルカリ又はアルカリ土類金属、例えばＮａ+、又は、Ｋ+、又は、Ｃａ2+から選択されるカチオン、又はアンモニウムイオンＮ+（Ｒ１）（Ｒ２）（Ｒ３）（Ｒ４）を有する塩であり、ここで、Ｒ１〜Ｒ４は互いに独立に、水素；場合により置換されたＣ１−Ｃ６アルキル基；場合により置換されたＣ２−Ｃ６アルケニル基；場合により置換されたＣ６−Ｃ１０アリール基、又は場合により置換されたＣ６−Ｃ１０ヘテロアリール基である。薬学的に許容される塩の更なる例は、“Remington's Pharmaceutical Sciences”17編、Alfonso R.Gennaro（編集），Mark Publishing社，Easton, Pa., U.S.A.,1985 及び Encyclopedia of Pharmaceutical Technologyに記載されている。
【００３５】
薬学的に許容可能な溶媒和物は、例えば、水和物である。
【００３６】
図１に記載の実施態様は、機構が駆動するとき、互いに摺動する表面を有する可動なエレメント１、２の対のいくつかの実施例を示す。ピストンロッド７はねじ山３を運び、そして、その中心を通じる孔の内壁上に同じピッチのねじ山を有するピストンロッドナット８で取り囲まれる。ピストンロッド７及びピストンロッドナット８はねじ山３でインターロックされ、そして互いに回転することができる。回転と同時に、ねじ山３は、軸方向の相対移動を発生させ、その結果、全体のらせん相対移動をもたらす。ピストンロッド７及びピストンロッドナット８は、このように、１対の摺動エレメントを形成する。これらのエレメント間の摩擦は、それらが低摩擦合成材料で形成される場合には、低下する。ピストンロッド７は、例えば、液晶ポリマーであってよい、そして、ピストンロッドナット８は、例えば、ポリオキシメチレンであってよい
【００３７】
ピストンロッド７は、ピストンロッド７の更なるねじ山１３に合うねじ山を有する駆動スリーブ４によって駆動することができる。駆動スリーブ４及びピストンロッド７は、互いに摺動するねじ山表面を備えた摺動エレメントの別の対を形成する。
【００３８】
図２は、ピストンロッド７及び駆動スリーブ４の拡大断面を示す。ピストンロッド７の更なるねじ山１３及び駆動スリーブ４の対応するねじ山は、駆動スリーブ４がピストンロッド７に対して、らせん状に回転するとき、互いに摺動する第一表面１１及び第二表面１２を形成する。これらのエレメント間の摩擦を低下させるために、それらは、また、低摩擦合成材料から形成することができる。ピストンロッド７が、前述の実施例の通り液晶ポリマーである場合、駆動スリーブ４は、例えば、更に、ポリオキシメチレンであってもよい。
【００３９】
投与は、更なる駆動スリーブ６、及び更なる駆動スリーブ６を取り巻くダイアルナット５を含む１対の機構によりもたらされる。更なる駆動スリーブ６は、ねじ山を有し、そして、ダイアルナット５は、同じピッチの内部ねじ山を有する。更なる駆動スリーブ６及びダイアルナット５は、ねじ山でインターロックされ、そして、それらが、また、１対の摺動エレメントを形成するように、互いに、相対的にらせん運動で回転することができる。これらのエレメント間の摩擦は、また、低摩擦合成材料の使用により低下させることができる。更なる駆動スリーブ６は、例えば、ポリブチレンテレフタレートであってもよく、そして、ダイアルナット５は、例えば、ポリオキシメチレンであってもよい。
【００４０】
機構、特に、更なる駆動スリーブ６は、操作ボタン９により操作される。更なる駆動スリーブ６又は幾つかの中間エレメントが、本体１４に対して回転が固定できるように維持される操作ボタン９に対して相対的に回転するとき、操作ボタン９は、ワッシャ１０の上を摺動する。これらのエレメント間の摩擦を低下させるために、それらは、また、低摩擦合成材料を用いて形成することができる。金属製の操作ボタン９を有することは好ましい。操作ボタン９が、例えば、アルミニウムの場合、ワッシャ１０は、例えば、ポリオキシメチレンであってもよい。アルミニウムとポリオキシメチレンの互いの滑り摩擦係数は、相対速度２ｍｍ／秒で、０．１４より小さい。
【００４１】
図１で示すような医療デバイスで都合よく使用できる市販の低摩擦合成材料としては、例えば、以下のものがある：
ポリブチレンテレフタレート：
Ｃｅｌａｎｅｘ（登録商標）２４０４ＭＴ又はＣｅｌａｎｅｘ（登録商標）２４０４ＭＴ２０／９１０７、白：Ｔｉｃｏｎａ社製；
ポリオキシメチレン：
ａ）ＰＯＭ：ＭＴ８Ｆ０２（例えば、ダイアルナット５及びワッシャ１０で使用された）：Ｈｏｓｔａｆｏｒｍ（登録商標）ＭＴ８Ｆ０２、自然色、Ｔｉｃｏｎａ社製；
ｂ）ＰＯＭ：ＭＴＦ０１（例えば、ピストンロッドナット８で使用された）：
Ｈｏｓｔａｆｏｒｍ（登録商標）ＭＴ８Ｆ０１、自然色、Ｔｉｃｏｎａ社製；及び
ｃ）ＰＯＭ：ＭＴ１２Ｕ０１（例えば駆動スリーブ４で使用された）：
Ｈｏｓｔａｆｏｒｍ（登録商標）ＭＴ１２Ｕ０１、自然色、Ｔｉｃｏｎａ社製；
液晶ポリマー：
ＬＣＰ：ＭＴ１３３５（例えば、ピストンロッド７で使用された）：
Ｖｅｃｔｒａ（登録商標）ＭＴ１３３５、自然色、マスターバッチ：ＬＫＸ１０５７、黒色、との組み合わせ；両者ともＴｉｃｏｎａ社製。
【００４２】
参照数字：
１．  第一のエレメント
２．  第二のエレメント
３．  ねじ山
４．  駆動スリーブ
５．  ダイアルナット
６．  更なる駆動スリーブ
７．  ピストンロッド
８．  ピストンロッドナット
９．  操作ボタン
１０．ワッシャ
１１．第二のエレメントの表面
１２．第一のエレメントの表面
１３．ねじ山
１４．本体
１５．貯蔵器
１６．針
１７．ピストン
【図１】
0005787875.tif 000002
【図２】
0005787875.tif 000003